(57)【特許請求の範囲】
【請求項１】
垂直に立ち上げた入側ガス管と出側ガス管の上端を下向きに形成し、この下向きに形成した入側及び出側ガス管とガスメータの上面に形成した入側口金及び出側口金とを入側及び出側ユニオンナットを用いて夫々接続することにより、ガスメータを入側と出側ガス管に吊設するガスメータの取り付け方法において、前記入側と出側ユニオンナットを下端に取付けた配管の外周の一部に突起を形成し、この突起に前記入側と出側ユニオンナットを持ち上げて斜めにしながらその貫通穴の縁を上から引っ掛けることにより、入側と出側ユニオンナットを配管に保持させ、この状態で入側と出側の配管の下端とガスメータの入側と出側口金間に装着されたパッキンの嵌合状態を目視により確認し、その上で、入側ユニオンナットを突起から外して入側口金の外径部に形成されたねじに螺合し、次に出側ユニオンナットを突起から外して出側口金の外径部に形成されたねじに螺合するガスメータの取付方法。
【請求項２】
垂直に立ち上げた入側ガス管と出側ガス管の上端を下向きに形成し、この下向きに形成した入側及び出側ガス管とガスメータの上面に形成した入側口金及び出側口金とを入側及び出側ユニオンナットを用いて夫々接続することにより、ガスメータを入側と出側ガス管に吊設するガスメータの取り付け方法において、前記入側と出側ユニオンナットを配管に沿って上方にスライドさせてこのスライドさせた入側と出側ユニオンナットを永久磁石を用いて配管に固定し、この状態で入側と出側の配管の下端とガスメータの入側と出側口金間に装着されたパッキンの嵌合状態を目視により確認し、その上で、入側の永久磁石を外して入側ユニオンナットを下方にスライドさせて入側口金の外径部に形成されたねじに螺合し、次に出側の永久磁石を外して出側ユニオンナットを下方にスライドさせて出側口金の外径部に形成されたねじに螺合するガスメータの取付方法。
【発明の詳細な説明】
【０００１】
【発明の属する技術分野】
本願発明は、地中等から垂直に立ち上げた入側ガス管と出側ガス管の上端を下向きに形成し、この下向きに形成した入側及び出側ガス管とガスメータの上面に形成した入側及び出側口金とを入側及び出側ユニオンナットを用いて夫々接続することにより、ガスメータを入側と出側ガス管に吊設するガスメータの取付方法に関するもので、更に詳しくは、入側と出側ユニオンナット内においてガスメータの入側及び出側口金と配管の下端とが正しく嵌合されているか否かを目視により確認しながら入側と出側ユニオンナットを入側と出側口金に締め付けることにより、配管の下端と入側及び出側口金との嵌合部分においてパッキンのつけ忘れやずれが生じているのを知らずに入側と出側ユニオンナットを締め付けて作業を終わってしまうのを防止するガスメータの取付方法に関するものである。
【０００２】
【従来の技術】
図１０（Ａ）（Ｂ）にガスメータの取付方法（設置）の一例を示す。この取付方法は、膜式ガスメータの殆どすべてにおいて実施されている取付方法であって、地中から垂直に立ち上げた入側ガス管１と出側ガス管２（但し、この図１０（Ａ）（Ｂ）において、出側ガス管２は地中からは立ち上げていないが、地中から立ち上げている場合もある）の管路の上端を後部エルボ３ｂ、３ｃを用いて正面側に向けたのち、これを正面エルボ３ｄ、３ｅを用いて夫々下向きに形成し、入側においてはピッチ調整用の曲管４の下端に入側ユニオンナット５を取り付け、出側においてはピッチ調整用の曲管６の下端に出側ユニオンナット７を取り付け、この入側と出側ユニオンナット５、７を夫々ガスメータ８の上面に形成した入側口金９と出側口金１０に接続することによりガスメータ８を配管に吊設している。なお、入側の後部エルボ３ｂは、前部エルボ３ｄ及び後部エルボ３ｃの陰に隠れて、図１０（Ａ）（Ｂ）においては図面上に現れて来ていない。
また、別な取付方法としては、図１１（Ａ）（Ｂ）に示すように、ガスメータ８の両側に入側ガス管１と出側ガス管２を設置し、この間にガスメータ８を位置させて図１０と同じようにガスメータ８を吊設する方法もある。
【０００３】
図１０（Ａ）（Ｂ）及び図１１（Ａ）（Ｂ）において、１１は建物の外壁に入側と出側のガス管１、２を固定している配管固定金具、１２は元栓、１３は出側ヘッダー、１４は室内のガス栓及びガス器具等に延長されているフレキ管（内管）である。
【０００４】
このようなガスメータ８の取付方法の場合、入側と出側のガス管１、２の配管に際しては入側及び出側のユニオンナット５、７の部分まで含めてあらかじめ配管作業員が現場施工し、後でガス会社の作業員がガスメータ８を取り付けるという段取りになっていることから、ガスメータ８の入側と出側口金９、１０のピッチと配管側のピッチとが合わないことが多い。
【０００５】
そこで、このピッチ合わせのために図１０に示すように曲管４、６が用いられていて、この曲管４、６の偏心作用を利用してピッチ合わせをガスメータ８の取付時に行っている場合と、図１１に示すように、曲管４、６を用いないで、直管を用い、ピッチの調整は配管の弾性を用いて行っている場合とがある。
【０００６】
【発明が解決しようとする課題】
しかし、上記のようにガスメータ８の入側と出側にはユニオンナット５、７が用いられていることと、このユニオンナット５、７内における曲管４と入側口金９及び曲管６と出側口金１０の下端との間はパッキンを介在させた嵌合構造で、夫々ユニオンナット５、７で締め付けて接続する方式となっているため、次のような問題がある。
【０００７】
１．ガスメータ８の取り付けは、一人の作業員がガスメータ８を片手にかかえながら行うことが多いため、曲管４と６の下端をガスメータ８の入側と出側口金９、１０に合わせたときに、図１２に示すようにこの合わせ部分が入側と出側ユニオンナット５、７の陰に隠れてしまい、嵌合状態が外からは見えない。
【０００８】
このため、パッキンのつけ忘れや嵌合がずれていたりしていても、これが判らず、ガスメータ８の取付後、気密テストで判る場合がある。そうすると再び取付作業をやり直す必要があり、手間がかかる。
【０００９】
本発明の目的は、入側と出側の配管の下端とガスメータの入側と出側口金間のパッキンの嵌合状態を目視により確認しながらガスメータの取付作業を行うことができるガスメータの取付方法を提供することである。
【００１０】
【課題を解決するための手段】
上記目的を達成するため、請求項１に記載の発明においては、垂直に立ち上げた入側ガス管と出側ガス管の上端を下向きに形成し、この下向きに形成した入側及び出側ガス管とガスメータの上面に形成した入側口金及び出側口金とを入側及び出側ユニオンナットを用いて夫々接続することにより、ガスメータを入側と出側ガス管に吊設するガスメータの取り付け方法において、前記入側と出側ユニオンナットを下端に取付けた配管の外周の一部に突起を形成し、この突起に前記入側と出側ユニオンナットを持ち上げて斜めにしながらその貫通穴の縁を上から引っ掛けることにより、入側と出側ユニオンナットを配管に保持させ、この状態で入側と出側の配管の下端とガスメータの入側と出側口金間に装着されたパッキンの嵌合状態を目視により確認し、その上で、入側ユニオンナットを突起から外して入側口金の外径部に形成されたねじに螺合し、次に出側ユニオンナットを突起から外して出側口金の外径部に形成されたねじに螺合する、ことを特徴とするものである。
【００１１】
更に、請求項２に記載の発明においては、垂直に立ち上げた入側ガス管と出側ガス管の上端を下向きに形成し、この下向きに形成した入側及び出側ガス管とガスメータの上面に形成した入側口金及び出側口金とを入側及び出側ユニオンナットを用いて夫々接続することにより、ガスメータを入側と出側ガス管に吊設するガスメータの取り付け方法において、前記入側と出側ユニオンナットを配管に沿って上方にスライドさせてこのスライドさせた入側と出側ユニオンナットを永久磁石を用いて配管に固定し、この状態で入側と出側の配管の下端とガスメータの入側と出側口金間に装着されたパッキンの嵌合状態を目視により確認し、その上で、入側の永久磁石を外して入側ユニオンナットを下方にスライドさせて入側口金の外径部に形成されたねじに螺合し、次に出側の永久磁石を外して出側ユニオンナットを下方にスライドさせて出側口金の外径部に形成されたねじに螺合する、ことを特徴とするものである。
【００１２】
【作用】
入側と出側ユニオンナットは、ガスメータを取り付ける時に、突起又は永久磁石を用いて上方に逃しておく。このようにすると、入側と出側配管の下端と入側と出側口金との嵌合部分が良く見える。この結果、パッキンの嵌合が完全な場合にのみ入側と出側ユニオンナットの締め付けを行うことができるので、従来のようにガス洩れやパッキンのつけ忘れ、嵌合不良による取付作業のやり直しと云ったことがなくなる。
【００１３】
【発明の実施の形態】
本発明は、入側及び出側においてユニオンナットを用いてガスメータを取り付ける全ての作業に適用が可能である。立ち上げたガス管の上端を正面から下向き、あるいは内向きから下向きに形成する配管部材は、エルボのみならず、ベンド管、ガス栓、気密試験部材、あるいは逆Ｕ字管、直管、曲管等を含む継手が利用されている場合があり、これらの配管部材にユニオンナットを取り付けた場合も本発明は包含している。
【００１４】
ガスメータは、膜式以外にフルイディックガスメータを含む。本発明の実施は、新設又は既設のガスメータの交換の双方に適用が可能で新設の場合は請求項１の発明が適用され、既設のメータ交換については請求項２の発明が適用される。
【００１５】
【実施例１】
本実施例は、請求項１及び３及び４に記載の発明に対応するもので、図１〜図３にその具体的な構成を示す。図１は、本発明を実施してガスメータをガス配管に取り付けた状態の正面図、図２は側面図、図３は、入側と出側ユニオンナットを上方にスライドさせてガスメータの入側と出側口金に入側と出側配管の下端を目視で確認しながら嵌合した状態の正面図である。
【００１６】
図中符号の１は入側ガス管、２は出側ガス管、３は入側ガス管１の管路上端を後部エルボ３ｂ（但し、図２において、この後部エルボ３ｂは出側の後部エルボ３ｃの陰に隠れて表れていない）を用いて一旦正面側に向けたのち、更に鉛直方向に向けている入側ユニオン付き継手、３ａは出側ガス管２の管路の上端を後部エルボ３ｃを用いて一旦正面側に向けたのち、更に鉛直方向に向けている出側ユニオン付き継手、１５は入側ユニオン付き継手３に形成された入側直管部であって、この入側直管部１５の下端１６には、嵌合部１７が形成され、更にパッキン１８、Ｃリング１８ａが装着されている。１９は出側ユニオン付き継手３ａに形成された出側直管部であって、この出側直管部１９の下端２０には、嵌合部２１が形成され、更にパッキン２２、Ｃリング２２ａが装着されている。
【００１７】
５は前記入側直管部１５に取り付けられた入側ユニオンナット、７は出側直管部１９に取り付けられた出側ユニオンナット、８はガスメータ、９はこのガスメータ８の入側口金、１０は出側口金である。
【００１８】
１１は入側ガス管１と出側ガス管２を壁に固定している配管固定金具、１２は入側ガス管１に取り付けられた元栓、１３は出側ガス管２に取り付けられたヘッダーであって、このヘッダー１３から各ガス器具へフレキ管１４を経由してガスが供給される。
【００１９】
図３において、２３は入側ユニオン付き継手３の入側直管部１５において、その外周面に形成された突起、２４は出側ユニオン付き継手３ａの出側直管部１９において、その外周面に形成された突起であって、この突起２３、２４は図３に示すように入側ユニオンナット５と出側ユニオンナット７を入側直管部１５と出側直管部１９に沿って上方にスライドさせたときに、貫通穴５ａ、７ａの縁を上方から引っ掛けることにより、入側ユニオンナット５と出側ユニオンナット７を保持し、入側直管部１５と出側直管部１９の下端１６、２０の嵌合部１７、２１を露出させておくことができるもので、この図３の状態でガスメータ８の入側口金９と入側直管部１５の嵌合部１７と出側口金１０と出側直管部１９の嵌合部２１を目視しながら嵌合し、パッキン１８、２２のつけ忘れや外れていないことを確認したのち、夫々のユニオンナット５、７のねじ５ｂ、７ｂを夫々の口金９、１０のねじ９ａ、１０ａに螺合し、締め込んでガスメータ８の取り付けを終了する。なお、入側と出側ユニオンナット５、７は、どちらから先に締め込みを行っても良い。
【００２０】
このようにすることで、夫々の嵌合部１７、２１と夫々の口金９、１０との嵌合において、パッキン１８、２２のつけ忘れや嵌合不良の状態で夫々のユニオンナット５、７を締め込んでしまうと云うことがなくなる。
【００２１】
【実施例２】
本実施例は、請求項２に記載の発明に対応するもので、実施例１の場合は、入側と出側直管部１５、１９に突起２３、２４を夫々設けて入側と出側ユニオンナット５、７を保持させていたが、本実施例においては、図４に示すように入側と出側ユニオンナット５、７を上方にスライドさせたのち、永久磁石２５の吸磁作用を利用して入側と出側直管部１５、１９に保持させてパッキン１８、２２の嵌合状態を目視できるようにしたものである。
【００２２】
上記した実施例１の場合は、突起２３、２４付の直管部１５、１９を配管に用いることで実施化が可能であるが、本実施例２は、突起のない、既設配管においてガスメータ８を交換するような場合に特に便利である。
【００２３】
【実施例３】
図５〜９は入側と出側の配管部材において、突起２３（２４）の形成例を示すもので、図５（Ａ）（Ｂ）は入側及び出側ユニオン付き継手３、３ａに突起２３、２４を形成した例、図６（Ａ）（Ｂ）は入側と出側エルボ３ｄ（３ｅ）にねじ２７を用いて接続された入側と出側ユニオンナット５（７）付の曲管２６に突起２３（２４）を形成した例、図７（Ａ）（Ｂ）は曲管２６をパッキン２８、ナット２９を介して入側と出側エルボ３ｄ（３ｅ）内にスライド自在に挿入した例において、曲管２６に突起２３（２４）を形成した例、図８（Ａ）（Ｂ）はねじ３１付の短管３０に突起２３（２４）を形成した例、図９（Ａ）（Ｂ）は試験口３３付の出側配管部材３２に突起２３（２４）を形成した例である。
【００２４】
【発明の効果】
請求項１に記載の本発明によると、ガスメータの取付作業時に、入側と出側ユニオンナットを上方にスライドさせて配管の一部に形成した突起に引っ掛けるようにして保持させ、配管と口金間のパッキンの嵌合状態を目視により確認することができるため、ガスメータの取付作業が簡単になると共にパッキンの嵌合不良によるガス洩れや再取付作業等の手間がなくなり、作業上の効果絶大なるものがある。
【００２５】
また、請求項２に記載の本発明によると、永久磁石を用いた場合、突起のない、既設のガスメータの交換時にも同じように入側と出側ユニオンナットを配管の一部に保持させておくことができて便利である。
【図面の簡単な説明】
【図１】  請求項１の本発明を実施して取り付けられたガスメータと配管例の正面図。
【図２】  請求項１の本発明を実施して取り付けられたガスメータと配管例の側面図。
【図３】  入側と出側ユニオンナットを上方にスライドさせて突起に保持させ、パッキンの嵌合部分を目視で確認できるようにした状態の説明図。
【図４】  請求項２の永久磁石を用いて入側と出側ユニオンナットを配管に保持させている状態の説明図。
【図５】  ユニオン付き継手に突起を設けた実施例の説明図。
【図６】  突起を設ける他の実施例の説明図。
【図７】  突起を設ける他の実施例の説明図。
【図８】  突起を設ける他の実施例の説明図。
【図９】  突起を設ける他の実施例の説明図。
【図１０】  ガスメータの後方に入側と出側ガス管を位置させてガスメータを取り付けた従来例の説明図。
【図１１】  ガスメータの両側に入側と出側のガス管を位置させてガスメータを取り付けた従来例の説明図。
【図１２】  ガスメータの取り付けにおいて、口金の嵌合状況がユニオンナットに隠れて目視できない状態の説明図。
【符号の説明】
１    入側ガス管
２    出側ガス管
３    入側ユニオン付き継手
３ａ  出側ユニオン付き継手
４・６  曲管
５    入側ユニオンナット
７    出側ユニオンナット
８    ガスメータ
９    入側口金
１０  出側口金
１５  入側直管部
１８・２２  パッキン
１９  出側直管部
２３・２４  突起
２５  永久磁石
【図１】
0004493803.tif 000002
【図２】
0004493803.tif 000003
【図３】
0004493803.tif 000004
【図４】
0004493803.tif 000005
【図５】
0004493803.tif 000006
【図６】
0004493803.tif 000007
【図７】
0004493803.tif 000008
【図８】
0004493803.tif 000009
【図９】
0004493803.tif 000010
【図１０】
0004493803.tif 000011
【図１１】
0004493803.tif 000012
【図１２】
0004493803.tif 000013